(57)【要約】  【課題】広告物を掲示するために、支持台と接合した押え板を開閉する構造であり、商品広告取付装置の構造が複雑かつ厚みが厚くなってしまい、比較的商品広告取付装置を配置するためのスペースを確保しやすい扉の下部にしか商品広告取付装置を配置できないという課題を有していた。  【解決手段】広告物８を掲示する場合は、広告物８を横方向に反らせながら広告物８の左部先端を上部支持部１０と下部支持部１１の間に挿入して取付けする。【選択図】図１
2009282820.tif 000002
【特許請求の範囲】
【請求項１】
本体の前面に回動自在に設けられた外扉と、前記外扉の背面を形成する内扉と、前記内扉に商品サンプルを展示する展示部と、前記外扉の前面を覆う透明パネルとを備えた自動販売機において、前記透明パネルの前記展示部側に、新製品等の宣伝を表示した広告物を固定する上部支持部と下部支持部とを備え、前記上部支持部の下縁部および前記下部支持部の上縁部を前記展示パネルから徐々に離間するように湾曲させ、前記広告物を前記上部支持部と前記下部支持部の間に挿入したとき、前記広告物の上部は前記下縁部と前記透明パネルとに挟まって固定され、下部は前記上縁部と前記透明パネルとに挟まって固定されることを特徴とする自動販売機。
【請求項２】
上部支持部のフランジ部に可動する可動上部支持部と、前記可動上部支持部にスプリングの力で透明パネルに押し付けるバネ付き蝶板を備え、前記広告物を前記バネ付き蝶板のスプリングにて、前記可動上部支持部と前記透明パネルに圧着させることで固定したことを特徴とする請求項１に記載の自動販売機。
【請求項３】
本体の前面に回動自在に設けられた外扉と、前記外扉の背面を形成する内扉と、前記内扉に商品サンプルを展示する展示部と、前記外扉の前面を覆う透明パネルとを備えた自動販売機において、前記透明パネルの前記展示部側に、新製品等の宣伝を表示した広告物を固定する上部ラッチと下部支持部とを備え、前記ラッチは水平位置より垂直位置に回動可能であり、前記下部支持部の上縁部は前記展示パネルから徐々に離間するように湾曲させ、前記広告物を前記下部支持部の間に挿入し、前記ラッチを垂直位置に回動させて前記透明パネルとに挟まって固定したことを特徴とする自動販売機。
【請求項４】
上部支持部と下部支持部の間に透明樹脂で成形した商品銘板透明部をあらかじめ固定し、展示する広告物を前記商品銘板透明部と透明パネルの間に挿入することで、前記広告物の上下縁および背面を固定することができる請求項１に記載の自動販売機。
【請求項５】
内扉に広告物の背面から照明する照明灯を有したことを特徴とする請求項１から４のいずれか一項に記載の自動販売機。
【発明の詳細な説明】
【技術分野】
【０００１】
本発明は、商品広告取付装置に関するものであり、特に自動販売機に搭載するのに適した商品広告取付装置に関するものである。
【背景技術】
【０００２】
従来、この種の自動販売機は、自動販売機本体の前面に透明パネルにおいて被われた表示室を設け、該表示室内に新製品等の宣伝やロゴマーク等の表示を施した表示板を配設している（例えば、特許文献１参照）。
【０００３】
図６は、特許文献１に記載された従来の自動販売機の斜視図、図７は、同従来の自動販売機の要部斜視図である。
【０００４】
図６、図７に示すように、自動販売機の本体１と、本体１の前面に回動自在に設けられた扉２と、扉２の下部に設けられた商品広告取付装置３と、商品広告取付装置３の構成部品であり前面を透明パネルに被われた支持台４と、支持台４と勘合するように構成された押え板５と、支持台４と押え板５を接合し、押え板５を回動自在に設けられたヒンジ部６と、押え板５を開いた位置で仮固定するために設けられた可倒ストッパー７と、支持台４と押え板５の間にはさまれ新製品等の宣伝う表示した広告物８から構成されている。
【０００５】
以上のように、構成された自動販売機について、以下その動作を説明する。
【０００６】
広告物８を掲示する場合は、押え板５を支持台４から外し、可倒ストッパー７によって保持されるまで押え板５を開き、この状態で広告物８を押え板５に載せ、押え板５が支持台４と閉合することで、広告物８を支持台４と押え板５との間で狭着する。
【特許文献１】特許第３３３９０６５号公報
【発明の開示】
【発明が解決しようとする課題】
【０００７】
しかしながら、商品広告取付装置３は本来、人間工学的に考えれば広告物８を扉２の上部に構成し、購買動作が上から下に流れるように配置することが求められているが、上記従来の構成では、広告物８を掲示するために、支持台４と接合した押え板５を開閉する構造であり、商品広告取付装置３の構造が複雑かつ厚みが厚くなってしまい、比較的商品広告取付装置３を配置するためのスペースを確保しやすい扉２の下部にしか商品広告取付装置３を配置できないという課題を有していた。
【０００８】
本発明は、従来の課題を解決するもので、商品広告取付装置の構成を簡単にすることで広告物を扉の上部に掲示する自動販売機を提供することを目的とする。
【課題を解決するための手段】
【０００９】
上記従来の課題を解決するために、本発明の自動販売機は、広告物を掲示する場合は、広告物を横方向に反らせながら広告物の左部先端を上部支持部と下部支持部の間に挿入して取付けする。
【発明の効果】
【００１０】
本発明の自動販売機は、上部支持部及び下部支持部に広告物を取付けすることが可能となり、商品広告取付部が薄型構造となることで、自動販売機全体の奥行き寸法を拡大することなく、扉の上部に広告物を掲示でき、購入者に第一に新商品等の宣伝を認識させ、購買動作が上から下に流れるように配置するこが可能となる。
【発明を実施するための最良の形態】
【００１１】
請求項１に記載の発明は、本体の前面に回動自在に設けられた外扉と、前記外扉の背面を形成する内扉と、前記内扉に商品サンプルを展示する展示部と、前記外扉の前面を覆う透明パネルとを備えた自動販売機において、前記透明パネルの前記展示部側に、新製品等の宣伝を表示した広告物を固定する上部支持部と下部支持部とを備え、前記上部支持部の下縁部および前記下部支持部の上縁部を前記展示パネルから徐々に離間するように湾曲させ、前記広告物を前記上部支持部と前記下部支持部の間に挿入したとき、前記広告物の上部は前記下縁部と前記透明パネルとに挟まって固定され、下部は前記上縁部と前記透明パネルとに挟まって固定されるので、商品広告取付部が薄型構造となることで、自動販売機全体の奥行き寸法を拡大することなく、前記扉の上部に前記広告物を掲示でき、購入者に第一に新商品等の宣伝を認識させ、購買動作が上から下に流れるように配置することが可能となる。
【００１２】
請求項２に記載の発明は、請求項１に記載の発明に、さらに、上部支持部のフランジ部に可動する可動上部支持部と、前記可動上部支持部にスプリングの力で透明パネルに押し付けるバネ付き蝶板を備え、前記広告物を前記バネ付き蝶板のスプリングにて、前記可動上部支持部と前記透明パネルに圧着させることで固定したことで、前記広告物を前記バネ付き蝶板のスプリングの力にて、前記可動上部支持部と前記前面板部に圧着させることで、前記広告物の材質自体にこしがない薄いフィルムまたは薄紙等であっても、前記広告物が自重で変形または落下することを防止できる。
【００１３】
請求項３に記載の発明は、本体の前面に回動自在に設けられた外扉と、前記外扉の背面を形成する内扉と、前記内扉に商品サンプルを展示する展示部と、前記外扉の前面を覆う透明パネルとを備えた自動販売機において、前記透明パネルの前記展示部側に、新製品等の宣伝を表示した広告物を固定する上部ラッチと下部支持部とを備え、前記ラッチは水平位置より垂直位置に回動可能であり、前記下部支持部の上縁部は前記展示パネルから徐々に離間するように湾曲させ、前記広告物を前記下部支持部の間に挿入し、前記ラッチを垂直位置に回動させて前記透明パネルとに挟まって固定したことで、前記広告物の材質が硬く取付け時に前記広告物自体を反らせられない場合でも、安価な構造で前記広告物を脱着させるこが可能となる。
【００１４】
請求項４に記載の発明は、請求項１に記載の発明に、さらに、上部支持部と下部支持部の間に透明樹脂で成形した商品銘板透明部をあらかじめ固定し、展示する広告物を前記商品銘板透明部と透明パネルの間に挿入することで、前記広告物の上下縁および背面を固定することで、前記広告物の下部先端の保持と前記商品銘版の上部先端の保持を前記上部支持部で兼用することが可能となり、安価な構造で前記広告物から前記商品銘板へと購買動作が上から下に流れるように配置することが可能となる。
【００１５】
請求項５に記載の発明は、請求項１から４のいずれか一項に記載の発明に、さらに、内扉に広告物の背面から照明する照明灯を有したので、例えばポリカーボネート板等の光透過性の材質で構成された光透過性商品銘版と例えばポリカーボネート板等の光透過性の材質で構成された光透過性広告物と前記光透過性商品銘版と前記光透過性広告物を背面から照らすため、前記光透過性商品銘版と前記光透過性広告物を上下の位置関係となるように配置し、前記光透過性商品銘版の背面から前記照明灯を照らすことによって、前記光透過性商品銘版のみならず、前記光透過性広告物を照らすことが可能となり、前記光透過性広告物専用の前記照明灯が不要となり、コストダウンを図ることが可能となる。
【００１６】
以下、本発明による照明装置の実施の形態について、図面を参照しながら説明するが、従来例または先に説明した実施の形態と同一構成については、同一符号を付してその詳細な説明を省略する。なお、この実施の形態によってこの発明が限定されるものではない。
【００１７】
（実施の形態１）
図１は、本発明の実施の形態１による自動販売機の斜視図である。
【００１８】
図１において、自動販売機の本体１と、本体１の前面に回動自在に設けられた扉２と、新製品等の宣伝を表示した広告物８と、扉２の上部に設けられ、前面を透明パネルに被われた前面板部９と、前面板部９の透明窓の上部の扉２に構成された上部支持部１０と、前面板部９の透明窓の下部の扉２に構成された下部支持部１１から構成される。
【００１９】
以上のように構成された自動販売機について、以下その動作を説明する。
【００２０】
広告物８を掲示する場合は、広告物８を横方向に反らせながら広告物８の左部先端を上部支持部１０と下部支持部１１の間に挿入して取付けする。または、広告物８を縦方向に反らせながら上部支持部１０または下部支持部１１に挿入して取付けする。
【００２１】
以上のように、本実施の形態においては、上部支持部１０及び下部支持部１１に広告物８を取付けすることが可能となり、商品広告取付部が薄型構造となることで、自動販売機全体の奥行き寸法を拡大することなく、扉２の上部に広告物８を掲示でき、購入者に第一に新商品等の宣伝を認識させ、購買動作が上から下に流れるように配置することが可能となる。
【００２２】
図２は、上部支持部に蝶板を付加した支持部の斜視図である。
【００２３】
図２において、上部支持部１０に構成されたフランジ部を可動するようにした可動上部支持部１２と可動上部支持部１２と扉２を接合し、可動上部支持部１２をスプリングの力で常時扉２に押し付けるためのバネ付き蝶板１３が構成されている。
【００２４】
本実施の形態は、実施の形態１による自動販売機に、さらに、可動上部支持部１２とバネ付き蝶板１３を設けたものである。
【００２５】
以上のように構成された自動販売機について、以下その動作を説明する。
【００２６】
広告物８を掲示する場合は、可動上部支持部１２を上方向に回動させ、広告物８の下部先端を下部支持部１１に挿入し、広告物８を前面板部９に密着させた状態で、可動上部支持部１２を下方向に回動させて広告物８を取付けする。
【００２７】
以上のように、本実施の形態においては、上部支持部１０のフランジ部を可動上部支持部１２にすることで、広告物８をバネ付き蝶板１３のスプリングの力にて、可動上部支持部１２と前面板部９に圧着させることで、広告物８の材質自体にこしがない薄いフィルムまたは薄紙等であっても、広告物８が自重で変形または落下することを防止できる。
【００２８】
また、本実施の形態では、可動上部支持部１２と広告物８を直接接触させたが、可動支持部１２にゴム等の滑り止め部材を取付けして、滑り止め部材と広告物８を接触させて、より保持力を向上させることも可能である。
【００２９】
また、本実施の形態では、上部支持部１０のフランジ部を可動上部支持部１２としたが、下部支持部１１も可動させることも可能である。
【００３０】
図３は上部支持部に替えてラッチ構造にした扉の斜視図である。
【００３１】
図３において、前面板部９の透明窓の上部の扉２に構成されたラッチ１４が構成されている。
【００３２】
本実施の形態は、実施の形態１による自動販売機に、さらに、ラッチ１４を設けたものである。
【００３３】
以上のように構成された自動販売機について、以下その動作を説明する。
【００３４】
広告物８を掲示する場合は、ラッチ１４を水平位置より上部に回動させ、広告物８の下部先端を下部支持部１１に挿入し、広告物８を前面板部９に密着させた状態で、ラッチ１４を水平位置より下部に回動させて広告物８を取付けする。
【００３５】
以上のように、本実施の形態においては、ラッチ１４を水平位置より上下部に回動させて、広告物８を取付けすることで、広告物８の材質が硬く取付け時に広告物８自体を反らせられない場合でも、安価な構造で広告物８を脱着させることが可能となる。
【００３６】
図４は商品銘板透明部を追加した時の扉の斜視図である。
【００３７】
図４において、商品の品種及び写真等を表示した商品銘板１５と扉２の前面板部９の透明窓の下部に構成された商品銘板透明部１６と商品銘版１５の上部先端を保持するための上部支持部Ａ１７と商品銘版１５の下部先端を保持するための下部支持部Ａ１８が構成されている。
【００３８】
本実施の形態は、実施の形態１による自動販売機に、さらに、商品銘板１５と商品銘板透明部１６と上部支持部Ａ１７と下部支持部Ａ１８を設けたものである。
【００３９】
以上のように構成された自動販売機について、以下その動作を説明する。
【００４０】
広告物８を掲示する場合は、広告物８を反らせながら広告物８の上部支持部１０と上部支持部Ａ１７の間に挿入して取付けする。また、商品銘板１５を掲示する場合には、上部支持部Ａ１７と下部支持部Ａ１８の間に挿入して取付けする。
【００４１】
以上のように、本実施の形態においては、広告物８の下部に商品銘板透明部１６を配置し、上部支持部Ａ１７と下部支持部Ａ１８を設けることで、広告物８の下部先端の保持と商品銘版１５の上部先端の保持を上部支持部Ａ１７で兼用することが可能となり、安価な構造で広告物８から商品銘板１５へと購買動作が上から下に流れるように配置することが可能となる。
【００４２】
また、本実施の形態では、商品銘板１５を１種で表現しているが、下部支持部Ａ１８を上部支持部Ａ１７にすることで多種の商品銘板１５を構成することは可能である。
【００４３】
図５は照明灯を配置した要部断面図である。
【００４４】
図５において、例えばポリカーボネート板等の光透過性の材質で構成された光透過性商品銘版１９と例えばポリカーボネート板等の光透過性の材質で構成された光透過性広告物２０と光透過性商品銘版１９と光透過性広告物２０を背面から照らすための照明灯２１が構成されている。
【００４５】
本実施の形態は、実施の形態１による自動販売機に、さらに、光透過性商品銘版１９と光透過性広告物２０と照明灯２１を設けたものである。
【００４６】
以上のように構成された自動販売機について、以下その動作を説明する。
【００４７】
光透過性商品銘版１９と光透過性広告物２０を上下の位置関係となるように配置し、光透過性商品銘版１９の背面から照明灯２１を照らすことによって、光透過性商品銘版１９のみならず、光透過性広告物２０を照らすことが可能となる。
【００４８】
以上のように、従来は、夜間に自動販売機の周囲が暗くなっている場合でも購入者に対して光透過性広告物２０を見やすくするために、光透過性広告物２０専用の照明灯２１が必要であったが、本実施の形態においては、光透過性商品銘版１９と光透過性広告物２０を上下の位置関係となるように配置し、光透過性商品銘版１９の背面から照明灯２１を照らすことによって、光透過性商品銘版１９のみならず、光透過性広告物２０を照らすことが可能となり、光透過性広告物２０専用の照明灯２１が不要となり、コストダウンを図ることが可能となる。
【産業上の利用可能性】
【００４９】
以上のように、本発明にかかる自動販売機は、上部支持部１０及び下部支持部１１に広告物８を取付けすることが可能となり、商品広告取付部が薄型構造となることで、自動販売機全体の奥行き寸法を拡大することなく、扉２の上部に広告物８を掲示でき、購入者に第一に新商品等の宣伝を認識させ、購買動作が上から下に流れるように配置することが可能となるので、自動販売機だけでなく、商品広告機能を求められる商品広告取付装置を搭載した商品に適用できる。
【図面の簡単な説明】
【００５０】
【図１】本発明による自動販売機の実施の形態１の斜視図
【図２】本発明による上部支持部に蝶板を付加した支持部の斜視図
【図３】本発明による上部支持部に替えてラッチ構造にした扉の斜視図
【図４】本発明による商品銘板透明部を追加した扉の斜視図
【図５】本発明による照明灯を配置した要部断面図
【図６】従来の自動販売機の斜視図
【図７】従来の自動販売機の要部斜視図
【符号の説明】
【００５１】
１  本体
２  扉
８  広告物
９  前面板部
１０  上部支持部
１１  下部支持部
１２  可動上部支持部
１３  バネ付き蝶板
１４  ラッチ
１５  商品銘板
１６  商品銘板透明部
１７  上部支持部Ａ
【図１】
2009282820.tif 000003
【図２】
2009282820.tif 000004
【図３】
2009282820.tif 000005
【図４】
2009282820.tif 000006
【図５】
2009282820.tif 000007
【図６】
2009282820.tif 000008
【図７】
2009282820.tif 000009